(57)【要約】【課題】打ち継ぎ不良の発生を抑止することができるとともに、コンクリート基礎の打設コストを低減させることができる型枠保持装置およびコンクリート基礎形成方法を提供する。【解決手段】型枠保持装置１０ａ、１１ａにおいて、アンカーボルト１６を含む棒状の組合体の任意の箇所に第１の型枠保持部材２０が着脱自在に設けられ、この第１の型枠保持部材２０は、２つの型枠４０の上端部をそれぞれ保持する。第１の型枠保持部材２０とベースプレート１２との間における棒状の組合体の任意の箇所に第２の型枠保持部材２１、２２が着脱自在に設けられ、この第２の型枠保持部材２１、２２は、２つの型枠４０のうち少なくとも一方の型枠４０の下端部をそれぞれ保持する。第１の型枠保持部材２０および第２の型枠保持部材２１、２２は、２つの型枠４０を棒状の組合体から離間した状態で保持する。【選択図】図４
2010285845.tif 000002
【特許請求の範囲】
【請求項１】
コンクリート基礎を形成する際に型枠を保持するために用いられる型枠保持装置であって、
基台と、
前記基台に設けられた、棒状部材および当該棒状部材の上方に設けられたアンカーボルトからなる棒状の組合体と、
前記棒状の組合体の任意の箇所に着脱自在に設けられ、当該組合体の両側に配置される２つの型枠の上端部をそれぞれ保持するための第１の型枠保持部材と、
前記第１の型枠保持部材と前記基台との間における前記棒状の組合体の任意の箇所に着脱自在に設けられ、当該組合体の両側に配置される２つの型枠のうち少なくとも一方の型枠の下端部を保持するための第２の型枠保持部材と、
を備え、
前記第１の型枠保持部材および前記第２の型枠保持部材は、前記棒状の組合体の両側に位置される２つの型枠を当該組合体から離間した状態で保持するようになっていることを特徴とする型枠保持装置。
【請求項２】
前記棒状の組合体の棒状部材は全ネジボルトからなることを特徴とする請求項１記載の型枠保持装置。
【請求項３】
前記棒状の組合体の棒状部材は前記基台に対して着脱自在に取り付けられるようになっていることを特徴とする請求項１または２記載の型枠保持装置。
【請求項４】
前記第１の型枠保持部材は前記棒状の組合体のアンカーボルトに設けられ、前記第２の型枠保持部材は前記棒状の組合体の前記棒状部材に設けられることを特徴とする請求項１乃至３のいずれか一項に記載の型枠保持装置。
【請求項５】
前記基台は捨てコンクリートの表面に取り付けることができるようになっていることを特徴とする請求項１乃至４のいずれか一項に記載の型枠保持装置。
【請求項６】
前記第２の型枠保持部材と前記基台との間における前記棒状の組合体の任意の箇所に着脱自在に設けられ、鉄筋を保持するための鉄筋保持部材を更に備えたことを特徴とする請求項１乃至５のいずれか一項に記載の型枠保持装置。
【請求項７】
前記棒状の組合体の両側に位置される２つの型枠は、それぞれ、前記第１の型枠保持部材および前記第２の型枠保持部材によりその上端部および下端部がそれぞれ保持されるようになっていることを特徴とする請求項１乃至６のいずれか一項に記載の型枠保持装置。
【請求項８】
前記棒状の組合体の両側に位置される２つの型枠のうち一方の型枠は、前記第１の型枠保持部材および前記第２の型枠保持部材によりその上端部および下端部がそれぞれ保持されるようになっており、他方の型枠は、前記第１の型枠保持部材によりその上端部が保持されるとともにその下端部は捨てコンクリート上に配置されるようになっていることを特徴とする請求項１乃至６のいずれか一項に記載の型枠保持装置。
【請求項９】
コンクリート基礎を形成するためのコンクリート基礎形成方法であって、
基台と、前記基台に設けることが可能な、棒状部材および当該棒状部材の上方に設けられたアンカーボルトからなる棒状の組合体と、前記棒状の組合体の任意の箇所に着脱自在に設けることが可能な、当該組合体の両側に配置される２つの型枠の上端部をそれぞれ保持するための第１の型枠保持部材と、前記第１の型枠保持部材と前記基台との間における前記棒状の組合体の任意の箇所に着脱自在に設けることが可能な、当該組合体の両側に配置される２つの型枠のうち少なくとも一方の型枠の下端部を保持するための第２の型枠保持部材と、をそれぞれ準備する工程と、
捨てコンクリートの表面に前記基台を設ける工程と、
前記第１の型枠保持部材および前記第２の型枠保持部材により、前記棒状の組合体の両側において２つの型枠を当該組合体から離間した状態で保持させる工程と、
前記第１の型枠保持部材および前記第２の型枠保持部材により保持された２つの型枠の下端部の下方の領域およびこの２つの型枠の間の領域にコンクリートを一度に流し込む工程と、
を備えたことを特徴とするコンクリート基礎形成方法。
【発明の詳細な説明】
【技術分野】
【０００１】
本発明は、コンクリート基礎を形成する際に型枠を保持するために用いられる型枠保持装置、およびコンクリート基礎を形成するためのコンクリート基礎形成方法に関する。
【背景技術】
【０００２】
従来より、建屋の基礎としては、布基礎やベタ基礎等のコンクリート基礎が用いられており、このコンクリート基礎からアンカーボルトが上方に突出するようになっている。より具体的には、従来のコンクリート基礎形成方法においては、捨てコンクリートの上方において格子状に張り巡らされた鉄筋にアンカーボルトを固定し、その後、アンカーボルトを挟むように２つの型枠を設置し、この２つの型枠の間にコンクリートを流し込むことによって、アンカーボルトがその上面から上方に突出したようなコンクリート基礎を形成するようになっている。以下、従来のコンクリート基礎形成方法について図８（ａ）〜（ｄ）を用いて詳しく説明する。
【０００３】
図８（ａ）〜（ｄ）は、従来のコンクリート基礎形成方法による、外周基礎および中基礎のコンクリート基礎を形成するときの一連の動作を示す説明図である。ここで、外周基礎とは、概して建屋の外周に沿って設けられる基礎のことであり、中基礎とは、概して建屋の内部の下方に設けられる基礎のことである。
【０００４】
まず、図８（ａ）に示すように、地面５２の上に捨てコンクリート５０の層を形成する。この捨てコンクリート５０は表面が概して平らなものとなっている。次に、捨てコンクリート５０のわずかに上方において略水平面に沿って格子状に鉄筋４２を張り巡らせる。図８（ａ）においては、図８（ａ）の左右方向に延びる鉄筋４２、この鉄筋４２と直交するような鉄筋４２（図８（ａ）の紙面と直交するような鉄筋４２）および鉛直方向（図８（ａ）の上下方向）に延びる鉄筋４２が示されている。
【０００５】
次に、図８（ｂ）に示すように、捨てコンクリート５０の上にコンクリート６４を流し込む。この際に、格子状に張り巡らされた鉄筋４２の大部分が、流し込まれたコンクリート６４内に埋められるようにする。
【０００６】
捨てコンクリート５０の上に流し込まれたコンクリート６４が固まったら、次に、コンクリート６４から表面に露出している鉄筋４２にアンカーボルト６０を取り付ける。そして、図８（ｃ）に示すように、アンカーボルト６０の両側において略直方体形状の例えば木材からなる型枠４０をそれぞれコンクリート６４上に設置する。ここで、型枠４０は図８（ｃ）の紙面に対して直交するよう細長く延びている。そして、アンカーボルト６０の両側に設置された２つの型枠４０の間にコンクリート６６を更に流し込む。
【０００７】
その後、２つの型枠４０の間に流し込まれたコンクリート６６が固まったら、図８（ｄ）に示すように、型枠４０をコンクリート６６から取り外す。このようにして、アンカーボルト６０がその上面から上方に突出したようなコンクリート基礎が形成される。
【０００８】
従来の他のコンクリート基礎形成方法としては、例えば特許文献１乃至１６に示すものが知られている。
【先行技術文献】
【特許文献】
【０００９】
【特許文献１】特開２００４−１９３１２号公報
【特許文献２】特開２００３−１３８５７４号公報
【特許文献３】特開２００２−２１２９５５号公報
【特許文献４】特開２００２−１４６８０５号公報
【特許文献５】特開２００１−３２３６５６号公報
【特許文献６】特開２０００−２２０２９４号公報
【特許文献７】特開平１０−２８０４２８号公報
【特許文献８】特開平９−２５６３８５号公報
【特許文献９】特開平６−１４６５８３号公報
【特許文献１０】特開平６−１４６５８５号公報
【特許文献１１】登録実用新案公報第３０６１７２４号
【特許文献１２】特開２００５−２４８４４３号公報
【特許文献１３】特開２００６−９４０８号公報
【特許文献１４】特開平７−２４７６８５号公報
【特許文献１５】特開平９−２１７４８７号公報
【特許文献１６】特開平３−８１４６４号公報
【発明の概要】
【発明が解決しようとする課題】
【００１０】
しかしながら、図８に示すような従来のコンクリート基礎形成方法においては、捨てコンクリート５０の上に一度コンクリート６４を流し込み、このコンクリート６４が固まった後にコンクリート６６を流し込むようになっている。このようなコンクリートの二度打ちの方法では、一回目に流し込まれたコンクリート６４と二回目に流し込まれたコンクリート６６との間の打ち継ぎ部分において打ち継ぎ不良が生じてしまい、建屋の施工において欠陥が発生してしまうおそれがある。具体的には、コンクリート６４とコンクリート６６との間に隙間が形成されてしまい、コンクリート基礎の耐久性が低下したり浸水が発生したりするおそれがある。また、図８に示すようなコンクリートの二度打ちの方法では、工期が長くなるとともにコンクリート基礎の打設コストが高くなってしまうという問題がある。
【００１１】
また、従来のコンクリート基礎形成方法においては、アンカーボルトや型枠の位置決めを精度良く行うことが難しいという問題があった。
【００１２】
本発明は、このような点を考慮してなされたものであり、コンクリートを１回流し込むだけでコンクリート基礎を形成することができ、このため、打ち継ぎ不良の発生を抑止することができるとともに、コンクリート基礎の打設コストを低減させることができるような型枠保持装置およびコンクリート基礎形成方法を提供することを目的とする。
【課題を解決するための手段】
【００１３】
本発明の型枠保持装置は、コンクリート基礎を形成する際に型枠を保持するために用いられる型枠保持装置であって、基台と、前記基台に設けられた、棒状部材および当該棒状部材の上方に設けられたアンカーボルトからなる棒状の組合体と、前記棒状の組合体の任意の箇所に着脱自在に設けられ、当該組合体の両側に配置される２つの型枠の上端部をそれぞれ保持するための第１の型枠保持部材と、前記第１の型枠保持部材と前記基台との間における前記棒状の組合体の任意の箇所に着脱自在に設けられ、当該組合体の両側に配置される２つの型枠のうち少なくとも一方の型枠の下端部を保持するための第２の型枠保持部材と、を備え、前記第１の型枠保持部材および前記第２の型枠保持部材は、前記棒状の組合体の両側に位置される２つの型枠を当該組合体から離間した状態で保持するようになっていることを特徴とする。
【００１４】
このような型枠保持装置によれば、第１の型枠保持部材および第２の型枠保持部材は、アンカーボルトを含む棒状の組合体の両側に位置される２つの型枠を当該棒状の組合体から離間した状態で保持するようになっているので、型枠保持装置に保持された２つの型枠の下端部の下方の領域およびこの２つの型枠の間の領域にコンクリートを一度に流し込むことができる。
【００１５】
ここで、コンクリートを２回流し込むような従来のコンクリートの二度打ちの方法では、一回目に流し込まれたコンクリートと二回目に流し込まれたコンクリートとの間の打ち継ぎ部分において打ち継ぎ不良が生じてしまい、建屋の施工において欠陥が発生してしまうおそれがある。これに対し、上述のような型枠保持装置を用いたコンクリート基礎の形成方法によれば、コンクリートを１回流し込むだけでコンクリート基礎を形成することができるので、打ち継ぎ不良の発生を抑止することができるとともに、コンクリート基礎の打設コストを低減させることができる。さらに、アンカーボルトを含む棒状の組合体が基台に設けられるので、アンカーボルトの位置決めを精度良く行うことができる。また、棒状の組合体の任意の箇所に第１の型枠保持部材および第２の型枠保持部材を設けることができるので、これらの第１の型枠保持部材や第２の型枠保持部材に保持される型枠の位置決めを精度良く行うことができる。
【００１６】
本発明の型枠保持装置においては、前記棒状の組合体の棒状部材は全ネジボルトからなることが好ましい。
【００１７】
本発明の型枠保持装置においては、前記棒状の組合体の棒状部材は前記基台に対して着脱自在に取り付けられるようになっていることが好ましい。このため、コンクリート基礎の打設現場でアンカーボルトを含む棒状の組合体を基台に取り付けることにより型枠保持装置を形成することができ、作業員の部品の持ち運び等の負担を軽減することができる。
【００１８】
本発明の型枠保持装置においては、前記第１の型枠保持部材は前記棒状の組合体のアンカーボルトに設けられ、前記第２の型枠保持部材は前記棒状の組合体の前記棒状部材に設けられることが好ましい。
【００１９】
本発明の型枠保持装置においては、前記基台は捨てコンクリートの表面に取り付けることができるようになっていることが好ましい。このことにより、捨てコンクリートに予め墨出し等を行っておくことにより基台の位置決めを精度良く行うことができ、基台に設けられる棒状の組合体の位置決めを精度良く行うことができるので、アンカーボルトの位置決めを精度良く行うことができるようになる。
【００２０】
本発明の型枠保持装置においては、前記第２の型枠保持部材と前記基台との間における前記棒状の組合体の任意の箇所に着脱自在に設けられ、鉄筋を保持するための鉄筋保持部材を更に備えたことが好ましい。このことにより、棒状の組合体に対する鉄筋保持部材の取付位置を容易に変更することができるようになり、この鉄筋保持部材の高さレベルを所望の大きさとすることができるので、鉄筋の位置決めを容易かつ精度良く行うことができる。
【００２１】
本発明の型枠保持装置においては、前記棒状の組合体の両側に位置される２つの型枠は、それぞれ、前記第１の型枠保持部材および前記第２の型枠保持部材によりその上端部および下端部がそれぞれ保持されるようになっているようになっていてもよい。このような型枠保持装置は、概して、中基礎用の型枠保持装置として用いられる。
【００２２】
あるいは、前記棒状の組合体の両側に位置される２つの型枠のうち一方の型枠は、前記第１の型枠保持部材および前記第２の型枠保持部材によりその上端部および下端部がそれぞれ保持されるようになっており、他方の型枠は、前記第１の型枠保持部材によりその上端部が保持されるとともにその下端部は捨てコンクリート上に配置されるようになっていてもよい。このような型枠保持装置は、概して、外周基礎用の型枠保持装置として用いられる。
【００２３】
本発明のコンクリート基礎形成方法は、コンクリート基礎を形成するためのコンクリート基礎形成方法であって、基台と、前記基台に設けることが可能な、棒状部材および当該棒状部材の上方に設けられたアンカーボルトからなる棒状の組合体と、前記棒状の組合体の任意の箇所に着脱自在に設けることが可能な、当該組合体の両側に配置される２つの型枠の上端部をそれぞれ保持するための第１の型枠保持部材と、前記第１の型枠保持部材と前記基台との間における前記棒状の組合体の任意の箇所に着脱自在に設けることが可能な、当該組合体の両側に配置される２つの型枠のうち少なくとも一方の型枠の下端部を保持するための第２の型枠保持部材と、をそれぞれ準備する工程と、捨てコンクリートの表面に前記基台を設ける工程と、前記第１の型枠保持部材および前記第２の型枠保持部材により、前記棒状の組合体の両側において２つの型枠を当該組合体から離間した状態で保持させる工程と、前記第１の型枠保持部材および前記第２の型枠保持部材により保持された２つの型枠の下端部の下方の領域およびこの２つの型枠の間の領域にコンクリートを一度に流し込む工程と、を備えたことを特徴とする。
【００２４】
このようなコンクリート基礎形成方法によれば、保持された２つの型枠の下端部の下方の領域およびこの２つの型枠の間の領域にコンクリートを一度に流し込むことができる。ここで、コンクリートを２回流し込むような従来のコンクリートの二度打ちの方法では、一回目に流し込まれたコンクリートと二回目に流し込まれたコンクリートとの間の打ち継ぎ部分において打ち継ぎ不良が生じてしまい、建屋の施工において欠陥が発生してしまうおそれがある。これに対し、上述のようなコンクリート基礎形成方法によれば、コンクリートを１回流し込むだけでコンクリート基礎を形成することができるので、打ち継ぎ不良の発生を抑止することができるとともに、コンクリート基礎の打設コストを低減させることができる。さらに、アンカーボルトを含む棒状の組合体が基台に設けられるので、アンカーボルトの位置決めを精度良く行うことができる。また、棒状の組合体の任意の箇所に第１の型枠保持部材および第２の型枠保持部材を設けることができるので、これらの第１の型枠保持部材や第２の型枠保持部材に保持される型枠の位置決めを精度良く行うことができる。
【発明の効果】
【００２５】
本発明の型枠保持装置およびコンクリート基礎形成方法によれば、打ち継ぎ不良の発生を抑止することができるとともに、コンクリート基礎の打設コストを低減させることができる。
【図面の簡単な説明】
【００２６】
【図１Ａ】本発明の実施の形態における外周基礎用の第１の型枠保持装置の構成を示す正面図である。
【図１Ｂ】本発明の実施の形態における外周基礎用の第２の型枠保持装置の構成を示す正面図である。
【図２Ａ】本発明の実施の形態における中基礎用の第１の型枠保持装置の構成を示す正面図である。
【図２Ｂ】本発明の実施の形態における中基礎用の第２の型枠保持装置の構成を示す正面図である。
【図３】（ａ）〜（ｆ）は、図１Ａ、図１Ｂ、図２Ａ、図２Ｂにそれぞれ示す型枠保持装置の各構成要素の構成の詳細を示す斜視図である。
【図４】本発明の実施の形態による型枠保持装置を用いて外周基礎および中基礎のコンクリート基礎を形成するときの一連の動作を示す説明図である。
【図５】本発明の実施の形態による型枠保持装置を用いて外周基礎および中基礎のコンクリート基礎を形成するときの一連の動作を示す説明図である。
【図６】本発明の実施の形態による型枠保持装置を用いて外周基礎および中基礎のコンクリート基礎を形成するときの一連の動作を示す説明図である。
【図７】本発明の実施の形態による型枠保持装置を用いて外周基礎および中基礎のコンクリート基礎を形成するときの一連の動作を示す説明図である。
【図８】（ａ）〜（ｄ）は、従来のコンクリート基礎形成方法による、外周基礎および中基礎のコンクリート基礎を形成するときの一連の動作を示す説明図である。
【発明を実施するための形態】
【００２７】
以下、図面を参照して本発明の実施の形態について説明する。図１乃至図７は、本発明の実施の形態による型枠保持装置およびコンクリート基礎形成方法の実施の形態を示す図である。
【００２８】
このうち、図１Ａは、本実施の形態における外周基礎用の第１の型枠保持装置の構成を示す正面図であり、図１Ｂは、本実施の形態における外周基礎用の第２の型枠保持装置の構成を示す正面図である。また、図２Ａは、本実施の形態における中基礎用の第１の型枠保持装置の構成を示す正面図であり、図２Ｂは、本実施の形態における中基礎用の第２の型枠保持装置の構成を示す正面図である。また、図３（ａ）〜（ｆ）は、図１Ａ、図１Ｂ、図２Ａ、図２Ｂにそれぞれ示す型枠保持装置の各構成要素の構成の詳細を示す斜視図である。また、図４乃至図７は、本実施の形態における型枠保持装置を用いて外周基礎および中基礎のコンクリート基礎を形成するときの一連の動作を示す説明図である。なお、外周基礎とは、概して建屋の外周に沿って設けられる基礎のことであり、中基礎とは、概して建屋の内部の下方に設けられる基礎のことである。
【００２９】
〔型枠保持装置の全体的な構成について〕
まず、型枠保持装置の全体的な構成について図１Ａ、図１Ｂ、図２Ａおよび図２Ｂを用いて説明する。ここで、図１Ａ、図１Ｂに示す型枠保持装置１０ａ、１０ｂは、外周基礎のコンクリート基礎を形成する際に当該型枠保持装置１０ａ、１０ｂの両側または片側に配置される型枠４０を保持するために用いられ、図２Ａ、図２Ｂに示す型枠保持装置１１ａ、１１ｂは、中基礎のコンクリート基礎を形成する際に当該型枠保持装置１１ａ、１１ｂの両側に配置される型枠４０を保持するために用いられるようになっている。ここで、型枠４０は、略直方体形状の例えば木材からなり、この型枠４０は、図１Ａ、図１Ｂ、図２Ａ、図２Ｂの紙面に対してそれぞれ直交するよう細長く延びている。
【００３０】
図１Ａに示すように、外周基礎用の第１の型枠保持装置１０ａは、ベースプレート（基台）１２と、ベースプレート１２の上面に溶接されたナット１４とを備えている。また、第１の型枠保持装置１０ａは、全ネジボルト１７と、アンカーボルト１６とからなる棒状の組合体を備えている。全ネジボルト１７とアンカーボルト１６とは、台形円錐形状の接続部材１９により接続されている。棒状の組合体の全ネジボルト１７はナット１４に着脱自在に取り付けられている。また、棒状の組合体のアンカーボルト１６には第１の型枠保持部材２０が着脱自在に設けられており、この第１の型枠保持部材２０は、棒状の組合体の両側に配置される２つの型枠４０の上端部をそれぞれ保持するようになっている。また、第１の型枠保持部材２０とベースプレート１２との間において、棒状の組合体の全ネジボルト１７には第２の型枠保持部材２２が着脱自在に設けられており、この第２の型枠保持部材２２は、棒状の組合体の両側に配置される２つの型枠４０のうち一方の型枠４０の下端部を保持するようになっている。また、第２の型枠保持部材２２の下方において、棒状の組合体の全ネジボルト１７には鉄筋保持部材１８が着脱自在に設けられており、この鉄筋保持部材１８は鉄筋４２を保持するようになっている。
【００３１】
図１Ｂに示すように、外周基礎用の第２の型枠保持装置１０ｂは、図１Ａに示すような第１の型枠保持装置１０ａとほぼ同様の構成を有しているが、第１の型枠保持装置１０ａと比較して、アンカーボルト１６、接続部材１９および第１の型枠保持部材２０が設けられていない。
【００３２】
図２Ａに示すように、中基礎用の型枠保持装置１１ａは、ベースプレート（基台）１２と、ベースプレート１２の上面に溶接されたナット１４とを備えている。また、第１の型枠保持装置１１ａは、全ネジボルト１７と、アンカーボルト１６とからなる棒状の組合体を備えている。全ネジボルト１７とアンカーボルト１６とは、台形円錐形状の接続部材１９により接続されている。棒状の組合体の全ネジボルト１７はナット１４に着脱自在に取り付けられている。また、棒状の組合体のアンカーボルト１６には第１の型枠保持部材２０が着脱自在に設けられており、この第１の型枠保持部材２０は、棒状の組合体の両側に配置される２つの型枠４０の上端部をそれぞれ保持するようになっている。また、第１の型枠保持部材２０とベースプレート１２との間において、棒状の組合体の全ネジボルト１７には第２の型枠保持部材２１が着脱自在に設けられており、この第２の型枠保持部材２１は、棒状の組合体の両側に配置される２つの型枠４０の下端部をそれぞれ保持するようになっている。また、第２の型枠保持部材２１の下方において、棒状の組合体の全ネジボルト１７には鉄筋保持部材１８が着脱自在に設けられており、この鉄筋保持部材１８は鉄筋４２を保持するようになっている。
【００３３】
図２Ｂに示すように、中基礎用の第２の型枠保持装置１１ｂは、図２Ａに示すような第１の型枠保持装置１１ａとほぼ同様の構成を有しているが、第１の型枠保持装置１１ａと比較して、アンカーボルト１６、接続部材１９および第１の型枠保持部材２０が設けられていない。
【００３４】
〔型枠保持装置の各構成要素の構成の詳細について〕
次に、図１Ａ、図１Ｂ、図２Ａ、図２Ｂに示すような型枠保持装置１０ａ、１０ｂ、１１ａ、１１ｂの各構成要素の構成の詳細について図３を用いて説明する。図３（ａ）〜（ｇ）は、図１Ａ、図１Ｂ、図２Ａ、図２Ｂに示す型枠保持装置１０ａ、１０ｂ、１１ａ、１１ｂの各構成要素の構成の詳細を示す斜視図である。
【００３５】
図３（ａ）に示すように、ベースプレート１２の上面の中央部分には細長いナット１４が溶接されている。ナット１４の内周面には、全ネジボルト１７のネジ山に適合する雌ネジ部分が設けられている。また、ナット１４の一方の開口部はベースプレート１２により閉止されている。このことにより、ベースプレート１２に溶接されたナット１４に対して全ネジボルト１７を着脱自在に取り付けることができるようになっている。また、ベースプレート１２に固定されたナット１４に対する、全ネジボルト１７の嵌め込みの深さを変えることにより、ベースプレート１２に対する全ネジボルト１７の高さを自在に設定することができる。実際に全ネジボルト１７をナット１４に取り付ける際には、図１Ａ等に示すように、全ネジボルト１７をナット１４に嵌め込んだ後、追加のナット（図１Ａ等においてナット１４の真上に設けられたナット）により全ネジボルト１７を固定する。また、ベースプレート１２には、ナット１４を中心とした対称の位置において一対の貫通孔１２ａ、１２ｂが設けられている。これらの一対の貫通孔１２ａ、１２ｂには、捨てコンクリートの表面にベースプレート１２を取り付ける際に、例えばネジからなる取付部材が通されるようになっている。
【００３６】
図３（ｂ）に示すように、鉄筋保持部材１８は、平板状の略長方形形状の部材からなり、この鉄筋保持部材１８には貫通孔１８ａが形成されており、棒状の組合体の全ネジボルト１７をこの貫通孔１８ａに挿入することができるようになっている。実際に全ネジボルト１７に鉄筋保持部材１８を取り付ける際には、図１Ａ等に示すように、鉄筋保持部材１８の上下に一対のナットを設けることにより全ネジボルト１７に対して鉄筋保持部材１８を固定する。このようにして、全ネジボルト１７の任意の箇所に対して鉄筋保持部材１８を着脱自在に取り付けることができるようになっている。また、鉄筋保持部材１８の上下方向に設けられるナットの位置を調整することにより、全ネジボルト１７の長手方向に沿って鉄筋保持部材１８を自在に移動させることができるようになっている。
【００３７】
図３（ｃ）に示すように、第１の型枠保持装置１０ａ、１１ａに用いられる第１の型枠保持部材２０には貫通孔２０ａが形成されており、棒状の組合体のアンカーボルト１６をこの貫通孔２０ａに挿入することができるようになっている。このことにより、アンカーボルト１６に対する第１の型枠保持部材２０の位置を自在に調整することができる。また、第１の型枠保持部材２０の両端部には、棒状の組合体の右側に配置される型枠４０の上端部を保持するための一対の型枠保持部分２０ｃ、２０ｄ、および棒状の組合体の左側に配置される型枠４０の上端部を保持するための一対の型枠保持部分２０ｅ、２０ｆがそれぞれ設けられている。
【００３８】
図３（ｄ）に示すように、中基礎用の型枠保持装置１１ａ、１１ｂに用いられる第２の型枠保持部材２１には貫通孔２１ａが形成されており、棒状の組合体の全ネジボルト１７をこの貫通孔２１ａに挿入することができるようになっている。実際に全ネジボルト１７に第２の型枠保持部材２１を取り付ける際には、図２Ａ等に示すように、第２の型枠保持部材２１の上下に一対のナットを設けることにより全ネジボルト１７に対して第２の型枠保持部材２１を固定する。このようにして、全ネジボルト１７の任意の箇所に対して第２の型枠保持部材２１を着脱自在に取り付けることができるようになっている。また、第２の型枠保持部材２１の上下方向に設けられるナットの位置を調整することにより、全ネジボルト１７の長手方向に沿って第２の型枠保持部材２１を自在に移動させることができるようになっている。また、第２の型枠保持部材２１の両端部には、棒状の組合体の右側に配置される型枠４０の下端部を保持するための一対の型枠保持部分２１ｃ、２１ｄ、および棒状の組合体の左側に配置される型枠４０の下端部を保持するための一対の型枠保持部分２１ｅ、２１ｆがそれぞれ設けられている。
【００３９】
図３（ｅ）に示すように、外周基礎用の型枠保持装置１０ａ、１０ｂに用いられる第２の型枠保持部材２２には貫通孔２２ａが形成されており、棒状の組合体の全ネジボルト１７をこの貫通孔２２ａに挿入することができるようになっている。実際に全ネジボルト１７に第２の型枠保持部材２２を取り付ける際には、図１Ａ等に示すように、第２の型枠保持部材２２の上下に一対のナットを設けることにより全ネジボルト１７に対して第２の型枠保持部材２２を固定する。このようにして、全ネジボルト１７の任意の箇所に対して第２の型枠保持部材２２を着脱自在に取り付けることができるようになっている。また、第２の型枠保持部材２２の上下方向に設けられるナットの位置を調整することにより、全ネジボルト１７の長手方向に沿って第２の型枠保持部材２２を自在に移動させることができるようになっている。また、第２の型枠保持部材２２の一方の端部には、棒状の組合体の右側に配置される型枠４０の下端部を保持するための一対の型枠保持部分２２ｃ、２２ｄが設けられている。
【００４０】
図３（ｆ）に示すように、第１の型枠保持装置１０ａ、１１ａには、アンカーボルト１６および全ネジボルト１７からなる棒状の組合体が用いられる。前述のように、アンカーボルト１６および全ネジボルト１７は台形円錐形状の接続部材１９により接続されている。図３（ｆ）に示すように、アンカーボルト１６の上端部にはネジ山１６ａが設けられている。一方、図３（ｇ）に示すように、第２の型枠保持装置１０ｂ、１１ｂには、全ネジボルト１７のみが用いられ、アンカーボルト１６は用いられない。
【００４１】
ここで、前述のように、図１Ａや図２Ａに示すような第１の型枠保持装置１０ａ、１１ａにおいて、アンカーボルト１６に対する第１の型枠保持部材２０の位置を自在に調整することができるとともに、全ネジボルト１７に対する第２の型枠保持部材２１、２２の取付位置を自在に調整することができるので、様々な大きさの型枠４０を第１の型枠保持部材２０および第２の型枠保持部材２１、２２により、または第１の型枠保持部材２０により保持させることができるようになる。すなわち、型枠４０の高さに応じてアンカーボルト１６や全ネジボルト１７に対する第１の型枠保持部材２０や第２の型枠保持部材２１、２２の位置を調整することができる。
【００４２】
〔コンクリート基礎形成方法について〕
次に、図１乃至図３に示すような外周基礎用の第１、第２の型枠保持装置１０ａ、１０ｂおよび中基礎用の第１、第２の型枠保持装置１１ａ、１１ｂを用いてコンクリート基礎を形成するためのコンクリート基礎形成方法について図４乃至図７を用いて以下に説明する。本実施の形態においては、外周基礎用の第１、第２の型枠保持装置１０ａ、１０ｂおよび中基礎用の第１、第２の型枠保持装置１１ａ、１１ｂを用いてベタ基礎を形成するような態様について説明する。なお、本発明はベタ基礎を形成するような態様に限定されることはなく、図１乃至図３に示すような外周基礎用の第１、第２の型枠保持装置１０ａ、１０ｂおよび中基礎用の第１、第２の型枠保持装置１１ａ、１１ｂを用いて他の形態のコンクリート基礎を形成してもよい。
【００４３】
まず、地面５２の上に捨てコンクリート５０の層を形成する。この捨てコンクリート５０は表面が概して平らなものとなっている。次に、図４に示すように、捨てコンクリート５０の表面に外周基礎用の第１、第２の型枠保持装置１０ａ、１０ｂおよび中基礎用の第１、第２の型枠保持装置１１ａ、１１ｂを設置する。より具体的には、各型枠保持装置１０ａ、１０ｂ、１１ａ、１１ｂのベースプレート１２を捨てコンクリート５０の所定の位置に固定する。この際に、ナット１４は予めベースプレート１２に事前に溶接しておく。更に詳細には、例えばネジからなる２つの取付部材をベースプレート１２の一対の貫通孔１２ａ、１２ｂにそれぞれ貫通させ、捨てコンクリート５０にこの取付部材を打ち込むことにより、捨てコンクリート５０の所定の位置にベースプレート１２を固定する。ここで、ベースプレート１２により固定される捨てコンクリート５０の所定の位置には、各型枠保持装置１０ａ、１０ｂ、１１ａ、１１ｂが設置される前に予め墨出しが行われている。
【００４４】
また、捨てコンクリート５０の表面に各型枠保持装置１０ａ、１０ｂ、１１ａ、１１ｂを設置した後、図４に示すように、鉄筋保持部材１８により鉄筋４２を保持させるようにする。
【００４５】
なお、図４においては、第１の型枠保持装置１０ａ、１１ａの第１の型枠保持部材２０をそれぞれ形式的に示しているが、実際には、これらの第１の型枠保持部材２０は図５に示すように型枠４０を設置した後にこの型枠４０の上端部に載せられるようになっている。
【００４６】
次に、図５に示すように、第１の型枠保持装置１０ａ、１１ａに対して、２つの型枠４０を図３（ｆ）に示すような棒状の組合体の両側に配置する。この際に、２つの型枠４０のうち一方の型枠４０または両方の型枠４０の下端部を第２の型枠保持部材２１、２２により保持させる。また、両方の型枠４０の上端部に第１の型枠保持部材２０を載せる。このようにして、第１の型枠保持装置１０ａ、１１ａにより、それぞれ２つの型枠４０を保持させる。また、第２の型枠保持装置１０ｂ、１１ｂに対して、２つの型枠４０を図３（ｇ）に示すような全ネジナット１７の両側に配置する。この際に、２つの型枠４０のうち一方の型枠４０または両方の型枠４０の下端部を第２の型枠保持部材２１、２２により保持させる。このようにして、第２の型枠保持装置１０ｂ、１１ｂにより、それぞれ２つの型枠４０を保持させる。
【００４７】
ここで、第１の型枠保持装置１０ａ、１１ａの第１の型枠保持部材２０や第２の型枠保持部材２１、２２により型枠４０を保持させる際に、型枠４０の大きさに基づいてアンカーボルト１６や全ネジナット１７に対する第１の型枠保持部材２０や第２の型枠保持部材２１、２２の高さ方向における位置決めを行う。このことにより、どのような大きさの型枠４０であっても、所望の高さレベルの位置に配置することができる。
【００４８】
次に、図６に示すように、各型枠保持装置１０ａ、１０ｂ、１１ａ、１１ｂ（図６、図７では、簡略化のため型枠保持装置１０ａ、１１ａのみを表示）にそれぞれ保持された２つの型枠４０の下端部の下方の領域、およびこの２つの型枠４０の間の領域に、コンクリート５４を一度に流し込む。より詳細には、各型枠保持装置１０ａ、１０ｂ、１１ａ、１１ｂに保持された２つの型枠４０の間の領域の途中部分の高さまでコンクリート５４を流し込む。その後、流し込まれたコンクリート５４が固まると、図７に示すように、各型枠保持装置１０ａ、１０ｂ、１１ａ、１１ｂから型枠４０を取り外すとともにアンカーボルト１６から第１の型枠保持部材２０を取り外す。このことにより、アンカーボルト１６がその上面から上方に突出するようなコンクリート基礎が形成されることとなる。このようにして、コンクリートを１回流し込むだけでコンクリート基礎を形成することができる。
【００４９】
以上のように本実施の形態の型枠保持装置１０ａ、１１ａによれば、アンカーボルト１６および全ネジボルト１７からなる棒状の組合体の任意の箇所に第１の型枠保持部材２０が着脱自在に設けられ、この第１の型枠保持部材２０は、棒状の組合体の両側に配置される２つの型枠４０の上端部をそれぞれ保持するようになっており、また、第１の型枠保持部材２０とベースプレート１２との間における棒状の組合体の任意の箇所に第２の型枠保持部材２１、２２が着脱自在に設けられ、この第２の型枠保持部材２１、２２は、棒状の組合体の両側に配置される２つの型枠４０のうち少なくとも一方の型枠４０の下端部をそれぞれ保持するようになっている。そして、第１の型枠保持部材２０および第２の型枠保持部材２１、２２は、棒状の組合体の両側に位置される２つの型枠４０を当該組合体から離間した状態で保持するようになっている。このため、型枠保持装置１０ａ、１１ａに保持された２つの型枠４０の下端部の下方の領域およびこの２つの型枠４０の間の領域にコンクリート５４を一度に流し込むことができるようになる。
【００５０】
ここで、コンクリートを２回流し込むような従来のコンクリートの二度打ちの方法では、一回目に流し込まれたコンクリートと二回目に流し込まれたコンクリートとの間の打ち継ぎ部分において打ち継ぎ不良が生じてしまい、建屋の施工において欠陥が発生してしまうおそれがある。これに対し、本実施の形態の型枠保持装置１０ａ、１１ａを用いたコンクリート基礎の形成方法によれば、コンクリート５４を１回流し込むだけでコンクリート基礎を形成することができるので、打ち継ぎ不良の発生を抑止することができるとともに、コンクリート基礎の打設コストを低減させることができる。
【００５１】
さらに、アンカーボルト１６を含む棒状の組合体がベースプレート１２に設けられるので、アンカーボルト１６の位置決めを精度良く行うことができる。また、棒状の組合体の任意の箇所に第１の型枠保持部材２０および第２の型枠保持部材２１、２２を設けることができるので、これらの第１の型枠保持部材２０や第２の型枠保持部材２１、２２に保持される型枠４０の位置決めを精度良く行うことができる。
【００５２】
本実施の形態の型枠保持装置１０ａ、１１ａにおいては、アンカーボルト１６を含む棒状の組合体はベースプレート１２に対して着脱自在に取り付けられるようになっている。このため、コンクリート基礎の打設現場でアンカーボルト１６を含む棒状の組合体をベースプレート１２に取り付けることにより型枠保持装置１０ａ、１１ａを形成することができ、作業員の部品の持ち運び等の負担を軽減することができる。
【００５３】
また、本実施の形態の型枠保持装置１０ａ、１１ａにおいては、ベースプレート１２は捨てコンクリート５０の表面に取り付けることができるようになっている。このことにより、捨てコンクリート５０に予め墨出し等を行っておくことによりベースプレート１２の位置決めを精度良く行うことができ、ベースプレート１２に設けられる棒状の組合体の位置決めを精度良く行うことができるので、アンカーボルト１６の位置決めを精度良く行うことができるようになる。
【００５４】
また、本実施の形態の型枠保持装置１０ａ、１１ａは、鉄筋４２を保持するための鉄筋保持部材１８を更に備えている。この鉄筋保持部材１８は、第２の型枠保持部材２１、２２とベースプレート１２との間において、棒状の組合体の任意の箇所に着脱自在に設けられている。このことにより、棒状の組合体（具体的には全ネジボルト１７）に対する鉄筋保持部材１８の取付位置を容易に変更することができるようになり、この鉄筋保持部材１８の高さレベルを所望の大きさとすることができるので、鉄筋４２の位置決めを容易かつ精度良く行うことができる。
【００５５】
本実施の形態の型枠保持装置１０ａ、１１ａのうち中基礎用の型枠保持装置１１ａにおいて、棒状の組合体の両側に位置される２つの型枠４０は、それぞれ、第１の型枠保持部材２０および第２の型枠保持部材２１によりその上端部および下端部がそれぞれ保持されるようになっている。一方、本実施の形態の型枠保持装置１０ａ、１１ａのうち外周基礎用の型枠保持装置１０ａにおいて、棒状の組合体の両側に位置される２つの型枠４０のうち一方の型枠４０は、第１の型枠保持部材２０および第２の型枠保持部材２２によりその上端部および下端部がそれぞれ保持されるようになっており、他方の型枠４０は、第１の型枠保持部材２０によりその上端部が保持されるとともにその下端部は捨てコンクリート５０上に配置されるようになっている。
【００５６】
なお、本発明における型枠保持装置は、上述のような例に限定されることはなく、様々な変更を加えることができる。すなわち、型枠保持装置が、基台に設けられた、棒状部材および当該棒状部材の上方に設けられたアンカーボルトからなる棒状の組合体と、棒状の組合体の任意の箇所に着脱自在に設けられ、当該組合体の両側に配置される２つの型枠の上端部をそれぞれ保持するための第１の型枠保持部材と、第１の型枠保持部材と基台との間における棒状の組合体の任意の箇所に着脱自在に設けられ、当該組合体の両側に配置される２つの型枠のうち少なくとも一方の型枠の下端部を保持するための第２の型枠保持部材と、を備えるものであれば、図１乃至図３に示すような態様以外の型枠保持装置を用いてもよい。例えば、アンカーボルトに接続される棒状部材は全ネジボルトに限定されることはない。
【００５７】
また、本発明におけるコンクリート基礎形成方法は、上述のような例に限定されることはなく、様々な変更を加えることができる。すなわち、基台と、基台に設けることが可能な、棒状部材および当該棒状部材の上方に設けられたアンカーボルトからなる棒状の組合体と、棒状の組合体の任意の箇所に着脱自在に設けることが可能な、当該組合体の両側に配置される２つの型枠の上端部をそれぞれ保持するための第１の型枠保持部材と、第１の型枠保持部材と基台との間における棒状の組合体の任意の箇所に着脱自在に設けることが可能な、当該組合体の両側に配置される２つの型枠のうち少なくとも一方の型枠の下端部を保持するための第２の型枠保持部材と、をそれぞれ準備し、捨てコンクリートの表面に前記基台を設け、その後、第１の型枠保持部材および第２の型枠保持部材により、棒状の組合体の両側において２つの型枠を当該組合体から離間した状態で保持させ、その後、第１の型枠保持部材および第２の型枠保持部材により保持された２つの型枠の下端部の下方の領域およびこの２つの型枠の間の領域にコンクリートを一度に流し込むようなものであれば、図４乃至図７に示すような態様以外のコンクリート基礎形成方法を用いてもよい。
【符号の説明】
【００５８】
１０ａ、１０ｂ  外周基礎用の型枠保持装置
１１ａ、１１ｂ  中基礎用の型枠保持装置
１２  ベースプレート（基台）
１２ａ、１２ｂ  貫通孔
１４  ナット
１６  アンカーボルト
１６ａ  ネジ山
１７  全ネジボルト
１８  鉄筋保持部材
１８ａ  貫通孔
１９  接続部材
２０  第１の型枠保持部材
２０ａ  貫通孔
２０ｃ、２０ｄ、２０ｅ、２０ｆ  型枠保持部分
２１  第２の型枠保持部材
２１ａ  貫通孔
２１ｃ、２１ｄ、２１ｅ、２１ｆ  型枠保持部分
２２  第２の型枠保持部材
２２ａ、２２ｂ  ナット
２２ｃ、２２ｄ  型枠保持部分
４０  型枠
４２  鉄筋
５０  捨てコンクリート
５２  地面
５４  コンクリート
６０  アンカーボルト
６４  コンクリート
６６  コンクリート
【図１Ａ】
2010285845.tif 000003
【図１Ｂ】
2010285845.tif 000004
【図２Ａ】
2010285845.tif 000005
【図２Ｂ】
2010285845.tif 000006
【図３】
2010285845.tif 000007
【図４】
2010285845.tif 000008
【図５】
2010285845.tif 000009
【図６】
2010285845.tif 000010
【図７】
2010285845.tif 000011
【図８】
2010285845.tif 000012